(57)【要約】【課題】本発明の課題はモータの熱損と力損をなくすことを課題としている【解決手段】  本発明のモータの熱損を無くす手段は、駆動モータが駆動電気と自己誘導発電した電気と短絡し発熱するのを、自己誘導発電の電流を流れなく有効利用することを手段としている。また駆動モータが回転すると、自己誘導発電抗力により、力損が発生する、この力損を無くす解決手段は、自己誘導発電による発電抗力を発生させなくすることを手段としている。これにより、駆動モータは自己誘導発電電気との短絡による発熱がなくなり、トルクもスタート時最大トルクを高速回転時も維持できる。また発電も発電時発生する磁束による発電抗力がなくなり、軽く回転しながら発電が可能となった。【選択図】図１
2015100254.tif 000002
【特許請求の範囲】
【請求項１】
絶縁皮膜された励磁磁鉄板の合板に巻かれた、絶縁皮膜された良電導体コイルの双磁極電機子の一端と他端に隙間を隔ててＮ・Ｓ双磁極が移動する双磁極電機子で構成される電動モータに於いて、駆動モータ電機子に入力する上記コイルに重ねて、自己誘導動発電する発電用コイルが巻かれて、発電・駆動する電動モータ。
【請求項２】
上記モータの双磁極電機子のコイル中間を切断し新たな入出力端子を具備する、単磁極電機子対。及び上記単磁極電機子対で構成する単磁電機子電動モータ。及び上記モータの単磁電機子対の二重コイルで構成する請求項１の発電・駆動モータ。
【請求項３】
請求項２の単磁電機子対で構成する駆動モータコイル端が磁極位置により回転位相を知らせる素子の信号で作動するトランジェスターと結合し、駆動用回転磁界を形成するの電気を供給する駆動機構を具備するブラシレスモータ。及び請求項１の二重単磁コイル対発電駆動モータ。及び二重単磁コイル発電駆動モータのコイル端が全波整流子で回路結合する発電・駆動直流モータ。
【請求項４】
モータ電機子各コイル一端と他端の電源との間に自己誘導発電の電気を蓄電するコンデンサーを付け駆動電力用回生回路を構築する電動モータ、及び請求項３の発電・駆動直流モータ。
【発明の詳細な説明】
【発明の詳細な説明】
【技術分野】電動モータ【０００１】
【背景技術】
【０００２】従来からの電動モータは、一体を絶縁皮膜された励磁磁鉄板の合板の柱に絶縁皮膜された良電導体線を巻きつけ電機子とし、電機子の一端と他端に隙間を隔てて他体の磁石・磁極を移動させ、電磁相互作用をさせる、固定子と回転子の二体構造である。電動モータは駆動電源を入力すると、内部で自己誘導発電が起こる。発電機は一体を移動し発電をすると、発電電気による自己誘導磁束が起きる。【０００３】
【発明が解決しようとする課題】
【０００４】本発明が解決しようとする電動モータの基本的な課題の第一は、モータ内部で自己誘導発電した電力と、駆動電力が、短絡し発熱する。この熱損を無くすことを第一の課題としている。
【０００５】本発明が解決しようとする電動モータの基本的な課題の第二は、電動モータを駆動させると、自己誘導発電し、同時に自己誘導磁束により抗力としての力損が発生する。これを無くすことを第二の課題としている。
【０００６】
【課題を解決する為の手段】
【０００７】本発明の第一の課題・熱損を解決するための手段は、駆動電力入力回路と、自己誘導発電する、発電の電気回路を別々にすることを解決手段とする。
【０００８】本発明の第二の課題・力損を解決するための手段は、一体が励磁磁鉄に発生する磁束に拠る磁極と、他体の磁石との間による発生する吸引、反発の抗力をなくすための手段として、電機子の磁束の流れを切断し、流れなくすることを手段としている。
【０００９】
【発明を実施するための形態】
【００１０】本発明の開示である発明の第一の熱損を無くす実施の形態は、第一に、電動モータの駆動電力入力回路と、自己誘導発電する電気回路が同じであり、この電気回路内部で短絡発熱するのを無くすため、励磁磁鉄柱にコイルを巻いた駆動電源回路と、同じ励磁磁鉄柱に重ねてコイルを巻いた発電回路の電機子を具備する発電・駆動回路電動モータを第一の実施の形態とする。
【０００１１】本発明の開示である発明の第二の力損をなくす実施の形態は、力損が発電機も駆動モータもＮＳ双磁極にまたがるコイル内に発生する電流により、同時に励磁磁鉄に自己誘導発生する磁束の流れと、磁束の流れによる磁極の発生と、この励磁磁鉄磁極に相互作用する他体の磁石に拠る、吸引力による。この磁束の流れの元を断つことを第二の実施の形態とする。
【００１２】本発明の開示である発明の第三は、駆動単磁電機子回路両端に入出力のトランジェスタースイッチ機構を取り付け、ブラシレスモータとすると友に、全波整流子を取り付けることにより、自己誘導発電の一方向一部を回生する。
【００１３】本発明の開示である発明の第四は、駆動単磁電機子回路両端にコンデンサーを取り付け、自己誘導発電の他方向の一部を回生する。
【実施例】
【００１４】発明の第一の実施例は図１に於いて説明する。本発明の熱損を防ぐ、第一の実施例は、一体を、縁皮膜された励磁磁鉄板を合板にした柱に、第一の絶縁皮膜された良電導体線をコイルとして巻きつけ、その上に第二の絶縁皮膜された良電導体線をコイルとして巻きつけ、二重コイル電機子を形成する。励磁磁鉄両端に磁石を他体とし電動モータを形成する。一方のコイルを駆動電源回路とし、他方のコイルを発電電気回路とする。本発明の第一の実施例により、磁気回路を共有する発電と駆動の別電気回路を構築する。これにより発電・駆動モータが形成される。【００１５】本発明の力損を防ぐ第二の実施例は、上記電機子コイルをコイル一端と他端の中間を切断し、端子を倍化する。これにより、単磁電機子対のコイルを内装した、発電・駆動モータが形成される。【００１６】本発明の第三の実施例は、単磁電機子対モータをブラシレス直流駆動二体モータとする。モータの一体である単磁電機子対のコイル一端と他端に、他体の磁極の相対位置を知らせる素子によりスイッチする機構とするトランジェスタ−を取り付ける。これにより所望の駆動電気を入力し駆動する、ブラシレスモータを構築する。また、このススイッチ機構を跨ぐ寄生トランジェスターを装着し、自己誘導発電の一方向の一部を回生する機構を構築する。【００１７】本発明の第四の実施例は、モータの電機子の駆動回路のコイル一端と他端にコンデンサーを装着し自己誘導発電の他方向の一部をコンデンサーに蓄え、駆動時に駆動用として放出する回生回路を構築する。
【発明の効果】
【００１８】本発明の熱損を無くす上記二重コイルによる第一の効果は図１で説明するする。図は固定子と回転子からなる二体電動モータである。電気回路は単相１柱の同相並列回路である。励磁磁鉄に巻かれたコイルは駆動電気回路と発電電気回路と別回路が同じ励磁磁鉄にそれぞれ巻きつけてある、励磁磁鉄共有・発電・駆動電機子・内装電動モータである。この効果は、駆動モータが電気を入力すると、
自己誘導発電が発生するが、発生した電気は駆動電気回路とは別の発電用電気回路から出力し消化する。これにより、従来の駆動電気と自己誘導発電電気が短絡し発熱する、熱損が、本発明では別発電回路で発電有効消化することにより、電気の短絡がなくなり、発熱しない効果が在る。のみならず、１００％の発電電力も得られる。
【００１９】本発明の力損をなくす第二の効果は、電機子は双磁極に跨る電機子回路の中間を切断し新たな開放回路としての端子を倍加する。この単磁極電機子対の結線は並列とする。電機子コイルが直列につながれていると一端と他端からコイル内側に向かう±逆相の電気が短絡し発熱する。これを直列回路から開放する単磁電機子対並列回路では、電気が電機子コイル内で短絡しないから、発熱しない熱損に対する効果が在る。その上で自己誘導発電した発電を、出力として、消化すると、双磁極電機子の励磁磁鉄内に、単磁極電機子対では、電流が消化され磁束が発生しない。磁束が流れないために、発電抗力が発生し無い、力損が無い効果が在る。及単磁極電機子の結線が並列であるため、逆相の電線内の短絡がなく、短絡による発熱も無い効果が在る。及び従来では駆動モータの回転が上がると、自己誘導発電の発電抗力も上がりトルクが無くなるが、本発明では駆動モータの回転が上っても最大トルクは維持できる効果が在る。
【００２０】本発明の単磁電機子対で構成される駆動モータをブラシレスモータとする実施例は図１・１ａ、図２・２ｂ図、３・３ｃ図、４・４ｄ、図５・５ｆ、図６・６ｇで説明する。図は単磁電機子対の直流駆動モータに回転磁界を作る、素子、スイッチ機構２を含む回路図である。また寄生ダイオードにより、自己誘導発電した電気の一部を回生させることも可能で在る。これにより、駆動モータ内の駆動電力と自己誘導発電による短絡発熱は、一部回避される。
【００２１】図６ｇは二重単磁コイル電機子対のブラシレスモータの回路図に駆動電機子コイル一端と他端にコンデンサーを装着し、回磁界に抗する自己誘導発電の他方向の電気を貯め、回転する方向の電流のとき放出する機構を具備する、回生回路である。これにより、自己誘導発電する電気と駆動電気と短絡発熱することを一部無くす効果が在る。
【００２２】総体では同一励磁磁鉄に、駆動用と発電用の別回路のコイルが巻かれているため、自己誘導発電の殆んどは発電として有効利用することが出来る。また短絡ショートが無いため、発熱損が起こらない。
【図面の簡単な説明】
【００２３】１）                励磁磁鉄
２）                コイル
３）                寄生ダイオウド・整流子
４）
５）
６）                ＦＥＴ・トランジェスター
７）                ホール素子・信号入力線
８）                発電コイル
９）                回生発電回路
１０）              駆動電流回路
１１）              回生コンデンサー
Ｎ                      磁極
Ｓ                      磁極
Ａ、Ｂ、Ｃ、Ｄ          電機子各端子
±Ｕ、±Ｖ、±Ｗ        交流電気各相
図１は磁石がアウターロータ上に構築され、一相交流の単磁電機子対の±Ｕ相が１柱在る単磁極電機子対で構成されたモータ。及び単磁電機子対のコイルが発電と駆動と別回路にはっている。
【図１】
2015100254.tif 000003
【図１】
2015100254.tif 000004
【図１Ａ】
2015100254.tif 000005
【図２】
2015100254.tif 000006
【図２Ｂ】
2015100254.tif 000007
【図３】
2015100254.tif 000008
【図３Ｃ】
2015100254.tif 000009
【手続補正書】
【提出日】平成25年12月31日(2013.12.31)
【手続補正１】
【補正対象書類名】明細書
【補正対象項目名】００２３
【補正方法】変更
【補正の内容】
【００２３】
【図１】図１は発電と駆動の２重コイルとＮとＳの磁極の単磁電機子対モータの模式図
【図２】図２は発電・駆動二重コイル単磁電機子対モータの模式図とモータを直流電源で回転させる±三相配線・回路図
【図３】図３は図２のモータ位相が６０度回転した図
【図４】図４は図２のモータ位相が１２０度回転した図
【図５】図５は図２のモータ位相が１８０度回転した図
【図６】図６は図２のモータ位相が２４０度回転した図
【図７】図７は図２のモータ位相が３６０度回転した図  １）  励磁磁鉄  ２）  コイル  ３）  寄生ダイオウド・整流子  ４）  ５）  ６）  ＦＥＴ・トランジェスター  ７）  ホール素子・信号入力線  ８）  発電コイル  ９）  回生発電回路  １０）  駆動電流回路  １１）  回生コンデンサー  Ｎ  磁極  Ｓ  磁極  Ａ，Ｂ，Ｃ，Ｄ  電機子各端子  ±Ｕ，±Ｖ，±Ｗ  交流電気各相
【手続補正２】
【補正対象書類名】図面
【補正対象項目名】全図
【補正方法】変更
【補正の内容】
【図１】
2015100254.tif 000010
【図２】
2015100254.tif 000011
【図３】
2015100254.tif 000012
【図４】
2015100254.tif 000013
【図５】
2015100254.tif 000014
【図６】
2015100254.tif 000015
【図７】
2015100254.tif 000016